(57)【要約】      （修正有）【課題】スキャン処理の実行指示を行う際の利便性の低下を抑制することができる画像処理方法を提供する。【解決手段】携帯端末から実行指示コマンドを取得するとＳ５００、取得された実行指示コマンドが手動配置スキャン処理の実行指示コマンドであるか否かを判別するＳ５０１。取得された実行指示コマンドが手動配置スキャン処理の実行指示コマンドであるとき、手動配置スキャン処理を実行するＳ５０２。スタートキー６０４の操作が行われたときＳ５０７、前期操作に基づいて手動配置スキャン処理の実行指示を許可し、手動配置スキャン処理を実行するＳ５０８。【選択図】図５
2017163258.tif 000002
【特許請求の範囲】
【請求項１】
情報処理装置から操作手段及び原稿台を備える画像処理装置に送信された実行指示に基づいてスキャン処理を実行する画像処理方法であって、
前記情報処理装置から送信された実行指示が前記原稿台を利用するスキャン処理の実行指示であるか否かを判別する判別ステップと、
前記スキャン処理の実行を許可するか否かを決定する決定ステップとを有し、
前記決定ステップは、前記情報処理装置から送信された実行指示が前記原稿台を利用するスキャン処理の実行指示である場合、前記画像処理装置の操作手段の操作による実行指示に基づくスキャン処理の実行を許可することを決定することを特徴とする画像処理方法。
【請求項２】
前記情報処理装置から送信された実行指示が前記原稿台を利用するスキャン処理の実行指示である場合、前記画像処理装置の操作手段の操作による実行指示に基づくスキャン処理の実行を許可するか否かをユーザに選択させる選択ステップを更に有することを特徴とする請求項１記載の画像処理方法。
【請求項３】
前記決定ステップは、前記選択ステップで前記画像処理装置の操作手段の操作による実行指示に基づくスキャン処理の実行を許可することが選択された場合、前記情報処理装置から送信された実行指示に基づくスキャン処理の実行を許可しないことを特徴とする請求項２記載の画像処理方法。
【請求項４】
前記スキャン処理の実行によって画像データが生成され、
前記生成された画像データに基づいてプレビュー画像を前記画像処理装置に表示する表示ステップを更に有することを特徴とする請求項１乃至３のいずれか１項に記載の画像処理方法。
【請求項５】
前記情報処理装置から送信された実行指示に基づくスキャン処理の実行によって生成された第１の画像データ、及び前記画像処理装置の操作手段の操作による実行指示に基づくスキャン処理の実行によって生成された第２の画像データに基づいて第３の画像データを生成する生成ステップと、
前記生成された第３の画像データを前記情報処理装置に送信する送信ステップを更に有することを特徴とする請求項１乃至４のいずれか１項に記載の画像処理方法。
【請求項６】
情報処理装置から操作手段及び原稿台を備える画像処理装置に送信された実行指示に基づいてスキャン処理を実行する画像処理方法をコンピュータに実行させるプログラムであって、
前記画像処理方法は、
前記情報処理装置から送信された実行指示が前記原稿台を利用するスキャン処理の実行指示であるか否かを判別する判別ステップと、
前記スキャン処理の実行を許可するか否かを決定する決定ステップとを有し、
前記決定ステップは、前記情報処理装置から送信された実行指示が前記原稿台を利用するスキャン処理の実行指示である場合、前記画像処理装置の操作手段の操作による実行指示に基づくスキャン処理の実行を許可することを決定することを特徴とするプログラム。
【請求項７】
情報処理装置から操作手段及び原稿台を備える画像処理装置に送信された実行指示に基づいて前記画像処理装置でスキャン処理を実行する画像処理システムであって、
前記情報処理装置から送信された実行指示が前記原稿台を利用するスキャン処理の実行指示であるか否かを判別する判別手段と、
前記スキャン処理の実行を許可するか否かを決定する決定手段とを備え、
前記決定手段は、前記情報処理装置から送信された実行指示が前記原稿台を利用するスキャン処理の実行指示である場合、前記画像処理装置の操作手段の操作による実行指示に基づくスキャン処理の実行を許可することを決定することを特徴とする画像処理システム。
【請求項８】
操作手段及び原稿台を備え、情報処理装置から送信された実行指示に基づいてスキャン処理を実行する画像処理装置であって、
前記情報処理装置から送信された実行指示が前記原稿台を利用するスキャン処理の実行指示であるか否かを判別する判別手段と、
前記スキャン処理の実行を許可するか否かを決定する決定手段とを備え、
前記決定手段は、前記情報処理装置から送信された実行指示が前記原稿台を利用するスキャン処理の実行指示である場合、前記操作手段の操作による実行指示に基づくスキャン処理の実行を許可することを決定することを特徴とする画像処理装置。
【請求項９】
前記情報処理装置から送信された実行指示が前記原稿台を利用するスキャン処理の実行指示である場合、前記操作手段の操作による実行指示に基づくスキャン処理の実行を許可するか否かをユーザに選択させる選択手段を更に備えることを特徴とする請求項８記載の画像処理装置。
【請求項１０】
前記決定手段は、前記選択手段によって前記操作手段の操作による実行指示に基づくスキャン処理の実行を許可することが選択された場合、前記情報処理装置から送信された実行指示に基づくスキャン処理の実行を許可しないことを特徴とする請求項９記載の画像処理装置。
【請求項１１】
前記スキャン処理の実行によって画像データが生成され、
前記生成された画像データに基づいてプレビュー画像を表示する表示手段を更に備えることを特徴とする請求項８乃至１０のいずれか１項に記載の画像処理装置。
【請求項１２】
前記情報処理装置から送信された実行指示に基づくスキャン処理の実行によって生成された第１の画像データ、及び前記操作手段の操作による実行指示に基づくスキャン処理の実行によって生成された第２の画像データに基づいて第３の画像データを生成する生成手段と、
前記生成された第３の画像データを前記情報処理装置に送信する送信手段を更に備えることを特徴とする請求項８乃至１１のいずれか１項に記載の画像処理装置。
【発明の詳細な説明】
【技術分野】
【０００１】
本発明は、画像処理方法、プログラム、画像処理システム、及び画像処理装置に関する。
【背景技術】
【０００２】
スキャン処理を実行する画像処理装置として、ＭＦＰが知られている。ＭＦＰは該ＭＦＰに設けられる操作部の操作による実行指示に基づいてスキャン処理を実行する（特許文献１参照）。また、ＭＦＰはクライアントＰＣ等の外部装置から送信された実行指示に基づいてスキャン処理を実行するプルスキャン機能を有する。プルスキャン機能は、例えば、ユーザがスキャン処理によって生成された画像データ（以下、「スキャンデータ」という。）をクライアントＰＣによって画像処理する場合に用いられる。この場合、ユーザはクライアントＰＣにインストールされた画像処理アプリを起動し、ＭＦＰに移動して該ＭＦＰのプラテンガラス台上に原稿を配置する。その後、ユーザはクライアントＰＣに戻って画像処理アプリの操作画面を操作し、スキャン処理の実行指示をＭＦＰに送信する。例えば、冊子の各ページを原稿としてスキャン処理を行う場合、ユーザは一のページのスキャン処理が完了した後に他のページのスキャン処理が開始されるように冊子をプラテンガラス台に配置し直す。その後、ユーザは画像処理アプリの操作画面の操作によって他のページのスキャン処理の実行指示をＭＦＰに送信する。これにより、各ページのスキャンデータが画像処理アプリで指定されたフォルダに格納され、ユーザは画像処理アプリによって容易にスキャンデータを編集可能になる。
【０００３】
ところで、近年では、ユーザが持ち運び可能なスマートフォンやタブレット端末等の携帯端末からもスキャン処理の実行指示を送信可能であり、スキャン処理の実行指示がＭＦＰの近傍から送信されることがある。この場合、ＭＦＰの近傍に位置するユーザがスマートフォン等からスキャン処理の実行指示を送信することにより、ユーザがクライアントＰＣ及びＭＦＰの間を移動するという手間が軽減され、プルスキャン機能を利用する際の利便性が向上している。
【先行技術文献】
【特許文献】
【０００４】
【特許文献１】特開平１０−２１５３５３号公報
【発明の概要】
【発明が解決しようとする課題】
【０００５】
しかしながら、例えば、プルスキャン機能を利用して携帯端末から冊子の各ページのスキャン処理の実行指示を送信する場合、ユーザは一のページのスキャン処理が完了した後、ＭＦＰのプラテンガラス台に冊子を配置し直す必要がある。この場合、ユーザは携帯端末を持ちながら冊子を配置し直すという困難な作業を避けるため、ユーザは携帯端末を別の場所に置き、冊子を配置し直した後に該携帯端末を持ち直し、携帯端末からスキャン処理の実行指示を送信する。特に、冊子の３ページ以上のスキャン処理を実行する場合、携帯端末の持ち直しを複数回繰り返す必要があり、スキャン処理の実行指示を行う際の利便性が低下してしまう。
【０００６】
本発明の目的は、スキャン処理の実行指示を行う際の利便性の低下を抑制することができる仕組みを提供することにある。
【課題を解決するための手段】
【０００７】
上記目的を達成するために、本発明の画像処理方法は、情報処理装置から操作手段及び原稿台を備える画像処理装置に送信された実行指示に基づいてスキャン処理を実行する画像処理方法であって、前記情報処理装置から送信された実行指示が前記原稿台を利用するスキャン処理の実行指示であるか否かを判別する判別ステップと、前記スキャン処理の実行を許可するか否かを決定する決定ステップとを有し、前記決定ステップは、前記情報処理装置から送信された実行指示が前記原稿台を利用するスキャン処理の実行指示である場合、前記画像処理装置の操作手段の操作による実行指示に基づくスキャン処理の実行を許可することを決定することを特徴とする。
【発明の効果】
【０００８】
本発明によれば、スキャン処理の実行指示を行う際の利便性の低下を抑制することができる。
【図面の簡単な説明】
【０００９】
【図１】本発明の実施の形態に係る画像処理システムの構成を概略的に示すブロック図である。
【図２】図１のＭＦＰの構成を概略的に示すブロック図である。
【図３】図１のＭＦＰで行われる原稿の配置を説明するための図である。
【図４】図１の携帯端末に表示される設定画面の一例を示す図である。
【図５】図１のＭＦＰで実行されるスキャンデータ送信処理の手順を示すフローチャートである。
【図６】図２の操作部の構成を概略的に示すブロック図である。
【図７】図２の操作部に表示される設定画面の一例を示す図である。
【発明を実施するための形態】
【００１０】
以下、本発明の実施の形態を図面を参照しながら詳述する。
【００１１】
図１は、本発明の実施の形態に係る画像処理システム１００の構成を概略的に示すブロック図である。
【００１２】
図１において、画像処理システム１００は画像処理装置としてのＭＦＰ１０１及び情報処理装置としての携帯端末１０２を備える。画像処理システム１００ではＭＦＰ１０１に接続されたＷｉＦｉルータ１０３を介してＭＦＰ１０１及び携帯端末１０２の間で無線ＬＡＮ通信１０４が行われる。
【００１３】
ＭＦＰ１０１はコピー処理、ＦＡＸ処理、スキャン処理等を実行可能である。また、ＭＦＰ１０１はプルスキャン機能を有し、例えば、携帯端末１０２から送信された実行指示コマンドに基づいてスキャン処理を実行してスキャンデータを生成し、該スキャンデータを実行指示コマンドの送信元である携帯端末１０２に送信する。携帯端末１０２はユーザが持ち運び可能な端末、例えば、スマートフォン、タブレット端末、及びノート型ＰＣであり、ＭＦＰ１０１にスキャン処理を含む各処理の実行指示コマンドを送信可能である。
【００１４】
図２は、図１のＭＦＰ１０１の構成を概略的に示すブロック図である。
【００１５】
図２において、ＭＦＰ１０１は、ＣＰＵ２０１、ＲＯＭ２０２、ＲＡＭ２０３、ＨＤＤ２０４、操作部２０５、ＡＤＦ（Auto Document Feeder）２０６、スキャナ部２０７、プリンタ部２０８、及び画像処理部２０９を備える。また、ＭＦＰ１０１は、ネットワークＩ／Ｆ２１０、ＦＡＸ部２１１、シリアルＩ／Ｆ２１２、及びカードリーダ２１３を備える。ＣＰＵ２０１、ＲＯＭ２０２、ＲＡＭ２０３、ＨＤＤ２０４、操作部２０５、スキャナ部２０７、プリンタ部２０８、画像処理部２０９、ネットワークＩ／Ｆ２１０、ＦＡＸ部２１１及びシリアルＩ／Ｆ２１２はシステムバス２１４を介して互いに接続されている。スキャナ部２０７、プリンタ部２０８、画像処理部２０９、及びＦＡＸ部２１１は画像データを高速に転送可能な高速ビデオバス２１５を介して互いに接続されている。カードリーダ２１３はシリアルＩ／Ｆ２１２と接続され、ＡＤＦ２０６はスキャナ部２０７と接続されている。
【００１６】
ＣＰＵ２０１はＭＦＰ１０１全体を統括的に制御する。ＲＯＭ２０２はＣＰＵ２０１で実行されるプログラムや各データ等を格納する。ＲＡＭ２０３はＣＰＵ２０１の作業領域として用いられ、また、ＲＡＭ２０３は各データの一時格納領域として用いられる。ＨＤＤ２０４は比較的データ量の大きいプログラムやデータを格納する。操作部２０５は図示しない表示部及び後述する図６のスタートキー６０４等を含む複数の操作キーを備えるユーザインターフェースである。操作部２０５は、ＭＦＰ１０１で実行される各処理の設定や実行指示を行うための設定画面、例えば、後述する図６の設定画面６００を表示部に表示し、ユーザの各操作キーの操作によって入力された入力情報を受け付ける。ＡＤＦ２０６はスキャナ部２０７の上面と接し、且つ、図３に示すように、固定軸３０１を中心に開閉操作可能に設置されている。ＡＤＦ２０６は該ＡＤＦ２０６に配置された複数枚の原稿をスキャナ部２０７に１枚ずつ搬送する。スキャナ部２０７はＡＤＦ２０６から搬送された原稿のスキャン処理を行ってスキャンデータを生成する。スキャナ部２０７の上面はガラスで覆われており、スキャナ部２０７は図３のプラテンガラス台３０２（原稿台）に配置された原稿のスキャン処理も実行可能である。例えば、ＡＤＦ２０６がスキャナ部２０７に搬送不可能な冊子の各ページのスキャン処理を行う場合、ユーザは、ＡＤＦ２０６を持ち上げ、一のページをプラテンガラス台３０２に対向するように配置して一のページのスキャン処理を行う。さらに、ユーザは一のページのスキャン処理が完了した後、ＡＤＦ２０６を持ち上げ、他のページのスキャン処理が開始されるようにＭＦＰのプラテンガラス台に冊子を配置し直して他のページのスキャン処理を行う。このようにして、冊子の各ページのスキャンデータが生成される。プリンタ部２０８はスキャナ部２０７で生成された画像データ等に基づいて印刷を行う。画像処理部２０９は画像データに対し、画像回転、画像圧縮、解像度変換、色空間変換、階調変換等の画像処理を施す。ネットワークＩ／Ｆ２１０は外部装置とデータ通信を行い、例えば、携帯端末１０２に表示される図４の設定画面４００の各設定に基づいて生成されたスキャン処理の実行指示コマンドを携帯端末１０２から受信する。設定画面４００は、設定欄４０１〜４０７及びスキャンボタン４０８を含む。設定欄４０１には原稿の配置先が設定され、本実施の形態では、ＡＤＦ２０６及びプラテンガラス台３０２のいずれかが設定される。設定欄４０２にはＭＦＰ１０１から送信されるスキャン処理の実行結果のデータ形式が設定され、ＪＰＥＧ、ＰＤＦ、ＴＩＦＦ、及びＸＭＬ等が設定される。設定欄４０３にはスキャン処理の解像度が設定され、設定欄４０４には原稿の用紙サイズが設定され、設定欄４０５にはカラースキャン及び白黒スキャンのいずれかが設定される。設定欄４０６には原稿の種類として「写真」、「文字写真」、及び「文字のみ」のいずれかが設定される。設定欄４０７にはスキャンデータのプレビュー表示を行うか否かが設定され、プレビュー表示を行うことが設定された場合、携帯端末１０２にスキャンデータのプレビュー画像が表示される。スキャンボタン４０８はスキャン処理の実行指示コマンドの送信指示を行う。ユーザによって設定欄４０１〜４０７の各設定が行われ、スキャンボタン４０８が選択されると、携帯端末１０２はＭＦＰ１０１に当該各設定に関する設定情報を含むスキャン処理の実行指示コマンドを送信する。ＦＡＸ部２１１は公衆回線網を介して外部装置とファクシミリ通信を行う。シリアルＩ／Ｆ２１２はカードリーダ２１３とデータ通信を行い、カードリーダ２１３がＩＣカードから読み取ったユーザ情報等をカードリーダ２１３から取得する。
【００１７】
図５は、図１のＭＦＰ１０１で実行されるスキャンデータ送信処理の手順を示すフローチャートである。
【００１８】
図５の処理は、ＣＰＵ２０１がＲＯＭ２０２やＨＤＤ２０４に格納されたプログラムを実行することによって行われ、プルスキャン機能を利用して携帯端末１０２から送信された実行指示コマンドに基づいてＭＦＰ１０１がスキャン処理を行う場合を前提とする。
【００１９】
例えば、プルスキャン機能を利用して携帯端末１０２から冊子の各ページのスキャン処理の実行指示コマンドを送信する場合、ユーザは一のページのスキャン処理が完了した後、ＭＦＰ１０１のプラテンガラス台３０２に冊子を配置し直す必要がある。この場合、ユーザは携帯端末１０２を持ちながら冊子を配置し直すという困難な作業を避けるため、ユーザは携帯端末１０２を別の場所に置き、冊子を配置し直した後に携帯端末１０２を持ち直し、携帯端末１０２からスキャン処理の実行指示コマンドを送信する。特に、冊子の３ページ以上のスキャン処理を実行する場合、携帯端末１０２の持ち直しを複数回繰り返す必要があり、スキャン処理の実行指示を行う際の利便性が低下してしまう。
【００２０】
これに対応して、本実施の形態では、携帯端末１０２から取得した実行指示コマンドがプラテンガラス台３０２を利用するスキャン処理の実行指示コマンドである場合、ＭＦＰ１０１の操作部２０５の操作によるスキャン処理の実行指示が許可される。以下では、プラテンガラス台３０２を利用するスキャン処理を手動配置スキャン処理と定義する。
【００２１】
図５において、まず、ＣＰＵ２０１は、携帯端末１０２から実行指示コマンドを取得すると（ステップＳ５００）、取得された実行指示コマンドが手動配置スキャン処理の実行指示コマンドであるか否かを判別する（ステップＳ５０１）。ステップＳ５０１では、例えば、取得された実行指示コマンドに設定欄４０１の設定がプラテンガラス台３０２である旨を示す設定情報が含まれている場合、取得された実行指示コマンドが手動配置スキャン処理の実行指示コマンドであると判別する。一方、取得された実行指示コマンドに設定欄４０１の設定がＡＤＦ２０６である旨を示す設定情報が含まれている場合、取得された実行指示コマンドが手動配置スキャン処理の実行指示コマンドでないと判別する。
【００２２】
ステップＳ５０１の判別の結果、取得された実行指示コマンドが手動配置スキャン処理の実行指示コマンドであるとき、ＣＰＵ２０１は手動配置スキャン処理を実行する。ＣＰＵ２０１はプラテンガラス台３０２に配置された原稿、例えば、冊子の一のページのスキャンデータを生成する（ステップＳ５０２）。次いで、ＣＰＵ２０１は冊子の他のページのスキャン処理の実行指示を受け付けるために、図６の設定画面６００を操作部２０５に表示する（ステップＳ５０３）。設定画面６００はプレビュー欄６０１、送信ボタン６０２、及び中止ボタン６０３を含む。プレビュー欄６０１にはスキャンデータのプレビュー画像が表示される。送信ボタン６０２はスキャン処理の実行結果の送信を指示し、ユーザによって送信ボタン６０２が選択されると、ＭＦＰ１０１は携帯端末１０２にスキャン処理の実行結果としての画像データ（以下、「実行結果画像データ」という。）を送信する。中止ボタン６０３はスキャン処理の中止を指示し、ユーザによって中止ボタン６０３が選択されると、ＭＦＰ１０１は実行中のスキャン処理を中止する。次いで、ＣＰＵ２０１は実行指示コマンドにプレビュー表示の実行指示が含まれているか否かを判別する（ステップＳ５０４）。
【００２３】
ステップＳ５０４の判別の結果、実行指示コマンドにプレビュー表示の実行指示が含まれていないとき、ＣＰＵ２０１は後述するステップＳ５０６の処理を行う。一方、ステップＳ５０５の判別の結果、実行指示コマンドにプレビュー表示の実行指示が含まれているとき、ＣＰＵ２０１はプレビュー欄６０１にステップＳ５０２で生成されたスキャンデータのプレビュー画像を表示する（ステップＳ５０５）。次いで、ＣＰＵ２０１は操作部２０５の操作を検知すると（ステップＳ５０６でＹＥＳ）、スキャン処理の実行を指示する図６のスタートキー６０４の操作が行われたか否かを判別する（ステップＳ５０７）。
【００２４】
ステップＳ５０７の判別の結果、スタートキー６０４の操作が行われたとき、ＣＰＵ２０１はスタートキー６０４の操作に基づいて手動配置スキャン処理を実行する。ＣＰＵ２０１はプラテンガラス台３０２に配置された冊子の他のページのスキャンデータを生成する（ステップＳ５０８）。通常、冊子の各ページのスキャン処理を行う場合、ユーザは、冊子の一のページのスキャン処理の実行が完了した後にプラテンガラス台３０２の冊子を配置し直し、携帯端末１０２から他のページのスキャン処理の実行指示コマンドを送信する必要がある。これに対して、本実施の形態では、取得された実行指示コマンドが手動配置スキャン処理の実行指示コマンドである場合、ＣＰＵ２０１はスタートキー６０４の操作によるスキャン処理の実行指示を許可する。これにより、ユーザは携帯端末１０２の他に、スタートキー６０４からも手動配置スキャン処理の実行を指示可能になる。次いで、ＣＰＵ２０１はプレビュー表示の実行指示が行われているか否かを判別する（ステップＳ５０９）。ステップＳ５０９では、例えば、ステップＳ５００で取得した実行指示コマンドにプレビュー表示の実行指示が含まれている場合、ＣＰＵ２０１はプレビュー表示の実行指示が行われていると判別する。一方、ステップＳ５００で取得した実行指示コマンドにプレビュー表示の実行指示が含まれていない場合、ＣＰＵ２０１はプレビュー表示の実行指示が行われていないと判別する。すなわち、本実施の形態では、ステップＳ５００で取得した実行指示コマンドに含まれる設定情報が継続して用いられ、手動配置スキャン処理の実行指示のみがスタートキー６０４からも操作可能になる。
【００２５】
ステップＳ５０９の判別の結果、プレビュー表示の実行指示が行われていないとき、ＣＰＵ２０１は、ステップＳ５０６の処理に戻る。一方、ステップＳ５０９の判別の結果、プレビュー表示の実行指示が行われているとき、ＣＰＵ２０１はプレビュー欄６０１にステップＳ５０８で生成されたスキャンデータのプレビュー画像を表示し（ステップＳ５１０）、ステップＳ５０６の処理に戻る。
【００２６】
ステップＳ５０７の判別の結果、スタートキー６０４の操作が行われないとき、ＣＰＵ２０１は操作部２０５の他の操作、具体的に、送信ボタン６０２及び中止ボタン６０３のいずれが選択されたかを判別する（ステップＳ５１１）。
【００２７】
ステップＳ５１１の判別の結果、送信ボタン６０２が選択されたとき、ＣＰＵ２０１は実行結果画像データを生成する（ステップＳ５１２）。ステップＳ５１２では、ＣＰＵ２０１はステップＳ５０２で生成されたスキャンデータ及びステップＳ５０８で生成されたスキャンデータを含み、且つステップＳ５００で取得した実行指示コマンドに含まれるデータ形式に変換した実行結果画像データを生成する。次いで、ＣＰＵ２０１は実行結果画像データを携帯端末１０２に送信する（ステップＳ５１３）。その後、ＣＰＵ２０１は実行結果画像データの送信が完了すると、実行結果画像データが正常に送信された旨を示す正常通知を携帯端末１０２に送信し（ステップＳ５１４）、本処理を終了する。
【００２８】
ステップＳ５１１の判別の結果、中止ボタン６０３が選択されたとき、ＣＰＵ２０１はスキャンデータを破棄してスキャン処理が中止された旨を示す中止通知を携帯端末１０２に送信し（ステップＳ５１５）、本処理を終了する。
【００２９】
ステップＳ５０１の判別の結果、取得された実行指示コマンドが手動配置スキャン処理の実行指示コマンドでないとき、ＣＰＵ２０１はＡＤＦ２０６を利用したスキャン処理を実行する。ＣＰＵ２０１はＡＤＦ２０６に配置された原稿のスキャンデータを生成する（ステップＳ５１６）。次いで、ＣＰＵ２０１はステップＳ５００で取得した実行指示コマンドにプレビュー表示の実行指示が含まれているか否かを判別する（ステップＳ５１７）。
【００３０】
ステップＳ５１７の判別の結果、取得した実行指示コマンドにプレビュー表示の実行指示が含まれていないとき、ＣＰＵ２０１はステップＳ５１２以降の処理を行う。一方、ステップＳ５１７の判別の結果、取得した実行指示コマンドにプレビュー表示の実行指示が含まれているとき、ＣＰＵ２０１はステップＳ５１６で生成されたスキャンデータのプレビュー画像を表示するためのプレビュー表示データを生成する。その後、ＣＰＵ２０１はプレビュー表示データを携帯端末１０２に送信し（ステップＳ５１８）、ステップＳ５１２以降の処理を行う。
【００３１】
上述した図４の処理によれば、携帯端末１０２から取得した実行指示コマンドが手動配置スキャン処理の実行指示コマンドである場合、スタートキー６０４の操作によるスキャン処理の実行指示が許可される。これにより、ユーザがプラテンガラス台３０２に原稿を再配置する際に携帯端末１０２を操作するのが困難な場合、携帯端末１０２の設定画面４００における設定操作を行う必要を無くすことができる。その結果、スキャン処理の実行指示を行う際の利便性の低下を抑制することができる。
【００３２】
また、上述した図４の処理では、生成されたスキャンデータのプレビュー画像がＭＦＰ１０１の操作部２０５に表示される。これにより、ユーザが携帯端末１０２を閲覧不可能な状態であっても、ユーザがスキャン処理の実行結果を確認することができる。
【００３３】
さらに、上述した図４の処理では、ステップＳ５０２で生成されたスキャンデータ及びステップＳ５０８で生成されたスキャンデータに基づいて生成された実行結果画像データが携帯端末１０２に送信される。これにより、携帯端末１０２はスキャン処理の実行結果を確実に取得することができる。
【００３４】
上述した実施の形態では、ステップＳ５０２の処理を実行した後に、図７の設定画面７００を表示してスタートキー６０４の操作によるスキャン処理の実行指示を許可するか否かをユーザに選択させてもよい。これにより、携帯端末１０２だけでなくＭＦＰ１０１のスタートキー６０４からもスキャン処理の実行指示を行えるか否かに関し、ユーザの意図を反映させることができる。
【００３５】
また、上述した実施の形態では、設定画面７００でスタートキー６０４の操作によるスキャン処理の実行指示を許可することが設定された場合、携帯端末１０２から送信された実行指示コマンドに基づくスキャン処理の実行を許可しなくてもよい。これにより、スタートキー６０４の操作による実行指示と同じ実行指示コマンドが携帯端末１０２から送信されても、同じスキャン処理が複数回実行されることを防止することができる。
【００３６】
さらに、上述した実施の形態では、ステップＳ５００で取得した実行指示コマンドに含まれる設定情報が継続して用いられる場合について説明したが、スタートキー６０４の操作を行う際にＭＦＰ１０１の操作部２０５で上記設定情報を変更してもよい。
【００３７】
上述した実施の形態では、Ｗｉｆｉルータ１０３を用いてＭＦＰ１０１及び携帯端末１０２の間で無線ＬＡＮ通信１０４が行われる場合について説明したが、ＭＦＰ１０１及び携帯端末１０２の間の通信は無線ＬＡＮ通信１０４に限られない。例えば、Ｂｌｕｅｔｏｏｔｈ(登録商標）等を用いた無線通信であってもよい。
【００３８】
また、上述した実施の形態では、無線ＬＡＮ通信１０４や無線通信の通信強度に基づいてＭＦＰ１０１及び携帯端末１０２間の距離を測定し、該距離に基づいてスタートキー６０４の操作によるスキャン処理の実行指示を許可するか否かを決定してもよい。具体的に、携帯端末１０２から取得した実行指示コマンドが手動配置スキャン処理の実行指示コマンドであって、且つ測定された距離が所定の距離未満である場合のみ、スタートキー６０４の操作によるスキャン処理の実行指示を許可してもよい。すなわち、ユーザがＭＦＰ１０１と所定の距離以上離れている場合、例えば、ユーザがスタートキー６０４の操作を行なえない程ＭＦＰ１０１から離れている場合、スタートキー６０４の操作によるスキャン処理の実行指示が許可されない。これにより、ユーザがＭＦＰ１０１と所定の距離以上離れている場合にユーザ以外の他のユーザのスタートキー６０４の操作によってユーザの意図しないスキャン処理が実行される事態を無くすことができる。
【００３９】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００４０】
１００  画像処理システム
１０１  ＭＦＰ
１０２  携帯端末
２０５  操作部
３０２  プラテンガラス台
６０４  スタートキー
７００  設定画面
【図１】
2017163258.tif 000003
【図２】
2017163258.tif 000004
【図３】
2017163258.tif 000005
【図４】
2017163258.tif 000006
【図５】
2017163258.tif 000007
【図６】
2017163258.tif 000008
【図７】
2017163258.tif 000009